(57)【特許請求の範囲】
【請求項１】
合成樹脂などからなる１枚の板状体を折り曲げることにより、内部に粘着テープロールが収納可能な空間が形成され、上記空間内に収納された上記粘着テープを所定長さ繰り出し、切断する折り畳み式テープディスペンサーであって、
粘着テープロールを回転可能に支持するテープ支持部と、同テープ支持部から繰り出された上記粘着テープを切断する切断部とを含み、上記テープ支持部は、上記粘着テープロールを軸方向の両側面から挟み込む第１および第２の挟持板と、上記第１および第２の挟持板間に連結された連結板と、いずれか一方の上記挟持板からいずれか他方の上記狭持板に向けて折り曲げられる保持板とを備え、上記保持板が上記粘着テープロールの巻芯内に差し込まれることにより、上記粘着テープロールを回転可能に支持するとともに、
上記第１狭持板の上記連結板に対向する辺から連続的に連接され、互いに折り畳まれることにより内部に切断刃を支持する支持空間を形成する第１支持板群と、
上記第１狭持板の残る２辺に互いに対称に形成され、折り曲げられることにより上記第１支持板群の両端を支持する第２支持板群と、上記第２支持板群によって両端が支持され、上記粘着テープの一部が貼り付けられる貼付板とを備えていることを特徴とする折り畳み式テープディスペンサー。
【請求項２】
上記保持板は、被設置面に対してほぼ垂直に折り曲げられ、上記粘着テープロールを上記被設置面に対して垂直な回転軸に沿って回転可能に支持する請求項１に記載の折り畳み式テープディスペンサー。
【請求項３】
上記切断刃は、上記被設置面に対して平行に設けられている請求項１または２に記載の折り畳み式テープディスペンサー。
【発明の詳細な説明】
【０００１】
【発明の属する技術分野】
本発明は、携帯用のテープ繰り出し装置、いわゆるテープディスペンサーに関し、さらに詳しくいえば、１枚の板状体を折り曲げて構成される折り畳み式のテープディスペンサーに関する。
【０００２】
【従来の技術】
粘着テープロールは、帯状の粘着テープを巻芯に多重に巻回したものからなり、大別して荷造り用と事務用（文具用、医療用を含む）とがあるが、事務用のものは通常は粘着テープ繰り出し装置、いわゆるテープディスペンサを用いて使用される。
【０００３】
一般的な事務用のテープディスペンサーによれば、粘着テープロールは台座状の支持体にいわゆる水車状の保持手段を介して回転可能に保持され、所望の長さに繰り出された後、支持体に設けられている切断刃によって切断される。
【０００４】
ところで、医療現場などにおいては、例えば包袋止めや点滴などのチューブ類を腕や体に固定する場合などに、この種の粘着テープが用いられている。この場合、上述した事務用のテープディスペンサーでは、かさばるためポケットなどに入れて持ち運ぶには不便である。
【０００５】
そこで、この種の携帯用途では、テープ繰り出し端に切断刃を有する箱状のテープディスペンサーが用いられている。
【０００６】
【発明が解決しようとする課題】
しかしながら、いくら携帯性のよいテープディスペンサーであっても、次のような課題があった。すなわち、従来は成型品が多く、そのための金型を必要としていた。例えば箱状のものを形成するためには、本体用とカバー用の２種類の金型を必要とするため、金型コストが高かった。
【０００７】
また、箱状の成型品であるが故に、梱包するのにかさばるだけでなく、輸送時に生じる空スペースが多くなり、輸送コストなども高くなることは否めなかった。
【０００８】
さらには、上述したように通常の粘着テープは、水車状に支持されているため、被設置面に対して平行な回転軸となり、高さ方向にかさばる。
【０００９】
そこで、本発明は上述した課題を解決するためになされたものであって、その目的は、成型金型を必要とすることなく安価に製造可能であるとともに、より使いやすい折り畳み式テープディスペンサーを提供することにある。
【００１０】
【課題を解決するための手段】
上述した目的を達成するため、本発明は、合成樹脂などからなる１枚の板状体を折り曲げることにより、内部に粘着テープロールが収納可能な空間が形成され、上記空間内に収納された上記粘着テープを所定長さ繰り出し、切断する折り畳み式テープディスペンサーであって、粘着テープロールを回転可能に支持するテープ支持部と、同テープ支持部から繰り出された上記粘着テープを切断する切断部とを含み、上記テープ支持部は、上記粘着テープロールを軸方向の両側面から挟み込む第１および第２の挟持板と、上記第１および第２の挟持板間に連結された連結板と、いずれか一方の上記挟持板からいずれか他方の上記狭持板に向けて折り曲げられる保持板とを備え、上記保持板が上記粘着テープロールの巻芯内に差し込まれることにより、上記粘着テープロールを回転可能に支持するとともに、上記第１狭持板の上記連結板に対向する辺から連続的に連接され、互いに折り畳まれることにより内部に切断刃を支持する支持空間を形成する第１支持板群と、上記第１狭持板の残る２辺に互いに対称に形成され、折り曲げられることにより上記第１支持板群の両端を支持する第２支持板群と、上記第２支持板群によって両端が支持され、上記粘着テープの一部が貼り付けられる貼付板とを備えていることを特徴としている。
【００１１】
また、上記保持板は、被設置面に対してほぼ垂直に折り曲げられ、上記粘着テープロールを上記被設置面に対して垂直な回転軸に沿って回転可能に支持することが好ましい。これによれば、粘着テープロールが被設置面に対して直交する回転軸に沿って回転可能に保持されるため、高さ方向にかさばらず、テープディスペンサの使用形態に変化をつけることができる。
【００１２】
さらに、上記切断刃は、上記被設置面に対して平行に設けられていることが好ましく、これによれば、繰り出された粘着テープが９０°捻られて切断部で切断されることにより、被設置面に沿って扁平なテープディスペンサの形態が得られる。
【００１３】
【発明の実施の形態】
次に、本発明の実施形態について図面を参照しながら説明する。図１は本発明の実施形態に係る折り畳み式テープディスペンサーの展開図、図２〜図９はその組立工程を説明するための説明図で、図１０はテープディスペンサーの完成体に粘着テープロールを保持した状態の斜視図である。
【００１４】
この実施形態の折り畳み式テープディスペンサー１００は、板厚約１ｍｍのポリプロピレン（ＰＰ）製の１枚の板状体を折り加工および打抜加工したものによって形成されている。なお、この板状体は樹脂製以外に紙製ボード板や金属板などであってもよい。
【００１５】
図面上で実線で示された部分は打抜加工によって切断される切断線であり、破線で示した部分は折り加工によって形成される折曲用の折曲線である。この実施形態において、折曲線Ｏ〜Ｓ、Ｕ〜Ｗは、図１の状態において、折曲線に沿って全て谷折りにされる。
【００１６】
この実施形態において、ポリプロピレン製の薄板の少なくとも一方の面には、被収納物である粘着テープロールＴ（図１０参照）の側面が貼り付きにくくするための難粘着加工、この実施形態では梨目地加工が施されているが、これ以外に粘着テープのくっつきを防止できるものであれば、適宜選択することができる。
【００１７】
この粘着テープディスペンサー１００は、粘着テープロールＴ（図１０参照）を軸方向の両側面から挟み込む第１および第２の挟持板３００，４００と、第１および第２の挟持板３００，４００間に連結された連結板２００と、第１狭持板３００の連結板２００に対向する辺から連続的に連接され、互いに折り畳まれることにより内部に切断刃７００を支持する支持空間を形成する第１支持板群５００と、第１狭持板３００の残る２辺から互いに対称に形成された第２支持板群６００とを備えており、さらに第１支持板群５００に支持される切断刃７００と、第２支持板群６００に支持される貼付板８００とがそれぞれ別部材として設けられている。
【００１８】
第１狭持板３００は、被設置面に対して載置される基端面となるべく長尺に形成されており、その一部には、１対の保持板３１０，３２０が折り線Ｑを介して折曲可能に一体的に設けられている。
【００１９】
この各保持板３１０，３２０は、粘着テープロールＴの巻芯内に挿入されるため、高さ方向の長さが少なくとも粘着テープロールＴのテープ幅よりも高く形成されており、その先端には、第２狭持板４００の保持孔４１０によって係合される係合片３１１，３２１がそれぞれキノコ状に突設されている。
【００２０】
この実施形態において、保持片３１０，３２０は、第１狭持板３００からそれぞれ立設されているが、これ以外に第２狭持板４００側から立設させてもよく、この場合、保持板を係合するための保持孔４１０は第１狭持板３００側に設けられる。
【００２１】
第２狭持板４００は、ほぼ粘着テープロールＴの外径と同じ大きさの四角形状に形成され、その中央には上述した保持板３１０，３２０の係合片３１１，３２１が係合される係合孔４１０が設けられている。
【００２２】
これら第１狭持板３００および第２狭持板４００は、折り線ＯおよびＰを介して連結板２００によって連結されている。連結板２００は、幅方向の長さが粘着テープロールＴのテープ幅よりも長く形成されている。この実施形態において、各保持板３１０，３２０の係合片３１１，３２１を除く長さと連結板２００との長さ（高さ）は、実質的に同一である。
【００２３】
第１狭持板３００の連結板２００に対向する辺には、切断刃７００を支持する第１支持板群５００が連続的に形成されている。第１支持板群５００は、第１狭持板３００に連結された第１支持板５１０と、同第１支持板５１０に沿って連結された第２支持板５２０および同第２支持板５２０に沿って形成された第３支持板５３０とから構成されている。
【００２４】
第１支持板５１０および第２支持板５２０は、それぞれ折り線Ｕを介して互いに対称に形成されており、第１および第２支持板５１０，５２０の対向辺側は、それぞれコ字状に切り欠かれ、これらが折り線Ｕを跨ぐように対向することで開口孔５４０が形成されている。
【００２５】
開口孔５４０は、切断刃７００の山切り部７１０を外側に露出させるための露出孔であり、切断刃７００の幅方向の長さをほぼ同じ長さに開口されている。切断刃７００は、金属板の一端側を山切り状に切り欠いた山切り部７１０を備え、他端側が後述する支持凹部５５０に沿って支持される支持端面７２０が設けられている。
【００２６】
第３支持板５３０は、第２支持板５２０と折り線Ｓを介して連結されており、自由端側には、上記切断刃７００の支持端面７２０に沿ってほぼコ字状に切り欠かれた支持凹部５５０が形成されている。
【００２７】
第１狭持板３００の残された２辺、すなわち幅方向の２辺には、貼付板８００を支持するための第２支持板群６００がそれぞれ折り線Ｖを介して互いに対称に形成されている。
【００２８】
第２支持板群６００は第４支持板６１０および第５支持板６２０の２部材からなり、それぞれ第１狭持板３００を挟んで互いに対称なほぼＬ字状に形成されている。第４および第５支持板６１０，６２０の自由端側には、それぞれ対称にＬ字状の切欠孔６１１，６２１が形成されており、この切欠孔６１１，６２１に沿ってＬ字状に折り畳まれた貼付板８００の両端が支持される。
【００２９】
貼付板８００は、第１狭持板３００とほぼ同じ幅長さを有する矩形状に一抜き加工された板状体からなり、幅方向の中央に設けられた折り線Ｗを介してＬ字状に折り曲げられる。貼付板８００の両端には、上述した切欠孔６１１，６２１に挿入される凸片８１０、８１０が設けられている。
【００３０】
次に、この粘着テープディスペンサー１００の組立手順について図２〜図９を順に参照しながら説明する。まず、本体の組立前作業として、図２に示すように、切断刃７００を第１支持板５１０と第２支持板５２０との間に設けられた開口孔５４０に山切り部７１０が中央になるように設置する。また、貼付板８００をあらかじめ折り線Ｗに沿ってＬ字状に折り曲げておく。
【００３１】
次に、図３，図４に示すように第１支持板群５００を順に折り曲げて、切断刃７００を固定する。これには、まず、図３に示すように第３支持板５３０を折り線Ｓに沿ってほぼ１８０°折り畳む。次いで、第３支持板５３０を折り曲げた状態のまま、第２支持板５２０を折り線Ｕに沿ってほぼ１８０°折り畳む。
【００３２】
このとき、内側に折り畳まれた第３支持板５３０の支持凹部５５０に切断刃７００の支持端面７２０が収納されるように折り畳むことにより、切断刃７００が第１支持板群５００内に固定され、開口孔５４０から山切り部７１０が露出する。また、折り畳まれた第１支持板群５００の両端側には、第２支持板群６００の切欠孔６１１，６２１に挿入される固定凸部５６０，５６０が形成される。
【００３３】
次に、図５に示すように、折り畳まれた貼付板８００の１辺を第１支持板群５００に沿って平行に配置し、第１狭持板３００の両端に設けられた第４支持板６１０および第５支持板６２０をそれぞれ被設置面に対して直角となるよう折り線Ｖに沿ってほぼ９０°折り曲げる。
【００３４】
このとき、第４支持板６１０および第５支持板６２０を折り曲げつつ、その切欠孔６１１，６２１に第１支持板群５００の固定凸部５６０，５６０および貼付板８００の凸片８１０，８１０を挿入することにより、第１支持板群５００および貼付板８００が被設置面に対してほぼ垂直な状態で固定される（図６参照）。
【００３５】
次に、図７に示すように、第１狭持板３００に設けられた保持板３１０，３２０をそれぞれ被設置面に対して直角になるよう折り線Ｑに沿ってほぼ９０°折り曲げた後、起立状態にある保持片３１０，３２０を粘着テープロールＴの巻芯内に挿入する（図８参照）。
【００３６】
粘着テープロールＴを保持片３１０，３２０に挿入した後、図９に示すように、連結板２００および第２狭持板４００をそれぞれ折り線ＯおよびＰに沿ってそれぞれほぼ９０°折り曲げ、保持片３１０，３２０の係合片３１１，３２１を第２狭持板４００の保持孔４１０に係合させることにより、図１０に示すように、テープディスペンサ１００としての形態が完成する。
【００３７】
この折り畳み式テープディスペンサー１００を使用するに当たっては、粘着テープをほぼ９０°捻った状態で所望の長さを繰り出した後、切断刃７００で切断する。未使用時には、貼付板８００に粘着テープの一部を貼り付けておくことにより、再び使いたい時に粘着テープを自由に繰り出すことができる。
【００３８】
なお、上記実施形態では、粘着テープは医療用や事務用の小径のものを例示しているが、これ以外に荷造り用のガムテープのような大径なものであってもよく、板状体の各要部の大きさを変えることにより、各種粘着テープロールに対応可能である。
【００３９】
【発明の効果】
以上説明したように、本発明によれば、合成樹脂などからなる１枚の板状体を折り曲げてなる折り畳み式テープディスペンサーであって、粘着テープロールの巻芯内に差し込まれ、粘着テープロールを回転可能に支持する保持板が設けられていることにより、使用によってテープの巻径が減少しても、ケース内で粘着テープロールががたつくことなく、安定してテープ端を引き出すことができる。
【００４０】
さらに、この保持板を被設置面に対して垂直に設けることにより、保持板に保持される粘着テープロールを被設置面に対して横置き状態で保持することができ、従来のような高さ方向のかさばりを抑えることができる。
【図面の簡単な説明】
【図１】  本発明の実施形態に係る折り畳み式テープディスペンサーの展開図。
【図２】  上記折り畳み式テープディスペンサーの組立手順を説明する説明図。
【図３】  上記折り畳み式テープディスペンサーの組立手順を説明する説明図。
【図４】  上記折り畳み式テープディスペンサーの組立手順を説明する説明図。
【図５】  上記折り畳み式テープディスペンサーの組立手順を説明する説明図。
【図６】  上記折り畳み式テープディスペンサーの組立手順を説明する説明図。
【図７】  上記折り畳み式テープディスペンサーの組立手順を説明する説明図。
【図８】  上記折り畳み式テープディスペンサーの組立手順を説明する説明図。
【図９】  上記折り畳み式テープディスペンサーの組立手順を説明する説明図。
【図１０】  上記折り畳み式テープディスペンサーの組立状態図。
【符号の説明】
１００  折り畳み式テープディスペンサー
２００  連結板
３００  第１挟持板
３１０，３２０  保持板
４００  第２挟持板
４１０  保持孔
５００  第１支持板群
５１０  第１支持板
５２０  第２支持板
５３０  第２支持板
５４０  開口孔
５５０  支持凹部
５６０  固定凸部
６００  第２支持板群
６１０  第４支持板
６２０  第５支持板
６１１，６２１  切欠孔
７００  切断刃
８００  貼付板
Ａ〜Ｍ、Ｏ〜Ｓ、Ｕ〜Ｗ  折線
Ｔ  粘着テープロール
【図１】
0003713467.tif 000002
【図２】
0003713467.tif 000003
【図３】
0003713467.tif 000004
【図４】
0003713467.tif 000005
【図５】
0003713467.tif 000006
【図６】
0003713467.tif 000007
【図７】
0003713467.tif 000008
【図８】
0003713467.tif 000009
【図９】
0003713467.tif 000010
【図１０】
0003713467.tif 000011